(57)【要約】【課題】被覆対象となるセンサヘッドとセンサヘッドを被覆するカバー体となるセンサカバーとを備えたコンロセンサにおいて、センサヘッドとセンサカバーの接続部分に調理容器の衝撃が伝わることを抑制し得る構成を提供する。【解決手段】コンロセンサ６０は、センサカバー７０とセンサヘッド６２とを備える。センサカバー７０は、上端部７１Ｂがセンサヘッド６２の上面部６２Ａに近接して配置され、筒状部６２Ｂの上端側を環状に囲む構成で上下方向に沿って延びる筒状の第１カバー部７１と、第１カバー部７１よりも下方側に配置される筒状の第２カバー部７２と、を備えている。センサカバー７０の下端部寄りの位置において第２カバー部７２の内部に筒状部６２Ｂが圧入され、センサカバー７０とセンサヘッド６２とが固定されている。【選択図】図６
2018179456.tif 000002
【特許請求の範囲】
【請求項１】
燃料ガスと一次空気との混合ガスの燃焼に用いる二次空気を下方側から上方側に導く供給通路が内側に形成された環状バーナを備えるとともに当該環状バーナからの火炎により五徳上に載置された調理容器を加熱するように構成されたコンロバーナにおいて、少なくとも一部が前記供給通路の内側に配置されるように取り付けられるコンロセンサであって、
上下方向に沿って延び、少なくとも一部が前記供給通路内に配置された構成で固定される支柱と、
上方側に露出する上面部と、前記上面部から下方側に延びるとともに下端部側が開放した構成をなす筒状部と、を備え、前記支柱が前記筒状部内と前記筒状部の下方側とに跨る構成で挿入され、前記支柱に対して相対的に変位し且つ上下方向に沿うように変位する構成をなし、前記五徳上に前記調理容器が載置されたときに前記上面部が前記調理容器に接触するセンサヘッドと、
前記センサヘッドの内部において前記上面部側に固定される温度センサと、
前記センサヘッドを上方側に付勢する付勢部と、
前記筒状部を環状に囲む構成で前記センサヘッドに固定される筒状のセンサカバーと、
を有し、
前記センサカバーは、
上端部が開放した構成をなすとともに当該上端部が前記センサヘッドの前記上面部に近接して配置され、少なくとも前記筒状部の上端側を環状に囲む構成で上下方向に沿って延びる筒状の第１カバー部と、
前記第１カバー部よりも下方側に配置される筒状の第２カバー部と、
を備え、
前記センサカバーの下端部寄りの位置において前記第２カバー部の内部に前記筒状部が圧入され、前記センサカバーと前記センサヘッドとが固定されているコンロセンサ。
【請求項２】
前記供給通路は、当該供給通路の上端部側の位置に上方側となるにつれて内径が大きくなる内径拡大部が設けられ、前記内径拡大部よりも下方側の位置に上方側となるにつれて内径が小さくなる内径縮小部が設けられ、前記内径拡大部と前記内径縮小部の間の位置に内径が最も小さくなる最小内径部が設けられ、
前記第２カバー部は、前記第１カバー部の下端部に連結されるとともに外周面の径が前記第１カバー部の外周面の径よりも小さくなっており、
前記五徳上に載置された前記調理容器によって前記センサヘッドが押し下げられたときに、前記第１カバー部の下端部と前記第２カバー部の上端部とによって構成される段差部が、上下方向において、前記最小内径部よりも下位置に配置されている請求項１に記載のコンロセンサ。
【請求項３】
前記第１カバー部には、前記五徳上に載置された前記調理容器によって前記センサヘッドが押し下げられたときに、前記最小内径部と当該最小内径部の上方側及び下方側とに跨るように外周面の径が一定の円筒部が設けられている請求項１又は請求項２に記載のコンロセンサ。
【請求項４】
前記環状バーナと、請求項１から請求項３のいずれか一項に記載のコンロセンサとを具備するコンロバーナ。
【請求項５】
請求項４に記載のコンロバーナを含むガスコンロ。
【発明の詳細な説明】
【技術分野】
【０００１】
本発明は、コンロセンサ、コンロバーナ、及びガスコンロに関するものである。
【背景技術】
【０００２】
調理容器の底部温度を検出する温度検出装置を備えたガスコンロの例として、特許文献１のようなガスコンロが提案されている。特許文献１で開示されるガスコンロ１は、調理容器が五徳上に載置されると、ホルダー１１０の上端部に設けられた集熱部材１１１に調理容器が当接し、集熱部材１１１に伝わる調理容器の温度を集熱部材１１１の下面部に設けられた温度センサ１１２によって検出する構成をなす。更に、ガスコンロ１には、カバー１１８が設けられている。このカバー１１８は、炎からホルダー１１０を保護するために、ホルダ１１０の外周を覆うように配置されている。
【先行技術文献】
【特許文献】
【０００３】
【特許文献１】特許第６０１７５０４号公報
【発明の概要】
【発明が解決しようとする課題】
【０００４】
特許文献１で開示されるガスコンロは、カバー体であるカバー１１８の上端部付近に被覆対象となるホルダー１１０が圧入される形でこれらが固定されている。しかし、カバー１１８とホルダー１１０との接続部分（圧入部分）がホルダー１１０の上端部付近に存在するため、調理容器を載置するにあたり、当該調理容器がホルダー１１０又はカバー１１８に接触する際の衝撃が接続部分（圧入部分）に伝わりやすくなる。このような衝撃が繰り返されると、カバー１１８とホルダー１１０との接続部分（圧入部分）において接続不良が生じやすくなる。
【０００５】
本発明は、上述した課題を解決するためになされたものであり、被覆対象となるセンサヘッドとセンサヘッドを被覆するカバー体となるセンサカバーとを備えたコンロセンサにおいて、センサヘッドとセンサカバーの接続部分に調理容器の衝撃が伝わることを抑制し得る構成を提供することを目的とするものである。
【課題を解決するための手段】
【０００６】
本発明の第１態様であるコンロセンサは、
燃料ガスと一次空気との混合ガスの燃焼に用いる二次空気を下方側から上方側に導く供給通路が内側に形成された環状バーナを備えるとともに当該環状バーナからの火炎により五徳上に載置された調理容器を加熱するように構成されたコンロバーナにおいて、少なくとも一部が前記供給通路の内側に配置されるように取り付けられるコンロセンサであって、
上下方向に沿って延び、少なくとも一部が前記供給通路内に配置された構成で固定される支柱と、
上方側に露出する上面部と、前記上面部から下方側に延びるとともに下端部側が開放した構成をなす筒状部と、を備え、前記支柱が前記筒状部内と前記筒状部の下方側とに跨る構成で挿入され、前記支柱に対して相対的に変位し且つ上下方向に沿うように変位する構成をなし、前記五徳上に前記調理容器が載置されたときに前記上面部が前記調理容器に接触するセンサヘッドと、
前記センサヘッドの内部において前記上面部側に固定される温度センサと、
前記センサヘッドを上方側に付勢する付勢部と、
前記筒状部を環状に囲む構成で前記センサヘッドに固定される筒状のセンサカバーと、
を有し、
前記センサカバーは、
上端部が開放した構成をなすとともに当該上端部が前記センサヘッドの前記上面部に近接して配置され、少なくとも前記筒状部の上端側を環状に囲む構成で上下方向に沿って延びる筒状の第１カバー部と、
前記第１カバー部よりも下方側に配置される筒状の第２カバー部と、
を備え、
前記センサカバーの下端部寄りの位置において前記第２カバー部の内部に前記筒状部が圧入され、前記センサカバーと前記センサヘッドとが固定されている。
【０００７】
本発明の第２態様のコンロバーナは、環状バーナと、第１態様のコンロセンサとを具備する。
【０００８】
本発明の第３態様のガスコンロは、第２態様のコンロバーナを含む。
【発明の効果】
【０００９】
本発明の第１態様のコンロセンサは、センサヘッドの筒状部を環状に囲む構成で筒状のセンサカバーがセンサヘッドに固定される。このようにセンサカバーが設けられるため、環状バーナの火炎からセンサヘッド（特に、温度センサ付近）を保護することができる。更に、センサカバーの下端部寄りの位置で第２カバー部の内部に筒状部が圧入される形でセンサカバーとセンサヘッドとが固定されるため、センサカバーとセンサヘッドとの接続部分（センサカバーに対するセンサヘッドの圧入部分）をセンサヘッドの上面部から離れた下方側に位置させることができる。従って、調理容器を載置するにあたり、調理容器とセンサヘッドとが接触したとしても、その接触時の衝撃が接続部分（圧入部分）に伝わりにくくなり、強い衝撃が接続部分（圧入部分）に繰り返されることに起因する接続不良を抑えることができる。
【００１０】
本発明の第２態様のコンロバーナは、第１態様のコンロセンサと同様の効果を生じさせる。
【００１１】
本発明の第３態様のガスコンロは、第１態様のコンロセンサと同様の効果を生じさせる。
【図面の簡単な説明】
【００１２】
【図１】図１は、実施例１のガスコンロを例示する斜視図である。
【図２】図２は、実施例１のガスコンロにおいて天板部を取り外した状態を示す斜視図である。
【図３】図３は、実施例１のガスコンロの一部を分解して示す分解斜視図である。
【図４】図４は、実施例１のガスコンロの平面図である。
【図５】図５は、図４のＡ−Ａ断面を概略的に示す断面概略図である。
【図６】図６は、図５のコンロセンサを拡大して示す拡大断面図である。
【図７】図７は、図５のコンロセンサ及びコンロセンサの周辺を拡大して示す拡大断面図である。
【図８】図８は、実施例１のガスコンロにおいて五徳上に調理容器が載置された状態を概略的に示す断面概略図である。
【発明を実施するための形態】
【００１３】
以下、本発明の望ましい例を示す。但し、本発明は、以下の例に限定されない。
【００１４】
供給通路は、当該供給通路の上端部側の位置に上方側となるにつれて内径が大きくなる内径拡大部が設けられていてもよい。内径拡大部よりも下方側の位置に上方側となるにつれて内径が小さくなる内径縮小部が設けられていてもよい。内径拡大部と内径縮小部の間の位置に内径が最も小さくなる最小内径部が設けられてもよい。第２カバー部は、第１カバー部の下端部に連結されていてもよく、外周面の径が第１カバー部の外周面の径よりも小さくてもよい。五徳上に載置された調理容器によってセンサヘッドが押し下げられたときに、第１カバー部の下端部と第２カバー部の上端部とによって構成される段差部が、上下方向において、最小内径部よりも下位置に配置されてもよい。
【００１５】
このように、第１カバー部の下端部と第２カバー部の上端部とによって構成される段差部が最小内径部よりも下位置に配置されていれば、二次空気が最小内径部付近を通過する際に段差部の影響を受けにくくなり、内径が最も狭くなる最小内径部付近で段差部に起因する気流の乱れが生じることを抑制することができる。
【００１６】
第１カバー部には、五徳上に載置された調理容器によってセンサヘッドが押し下げられたときに、最小内径部と当該最小内径部の上方側及び下方側とに跨るように外周面の径が一定の円筒部が設けられてもよい。
【００１７】
このように、第１カバー部において、最小内径部の内側の部位を外周面の径が一定の円筒部とすれば、内径が最も狭くなる最小内径部付近で気流の乱れをより一層抑えることができ、二次空気がより円滑に誘導されるようになる。
【００１８】
＜実施例１＞
以下、本発明を具現化した実施例１について、図面を参照して説明する。
【００１９】
（ガスコンロの基本構成）
図１等を参照し、ガスコンロ１の基本構成を説明する。
図１等で示すガスコンロ１は、テーブルガスコンロとして構成され、天板部３０と装置本体１Ａを備え、装置本体１Ａの上端部に天板部３０が固定された構成をなす。図２は、装置本体１Ａの外観を示すものであり、図１で示すガスコンロ１から天板部３０、排気口カバー８０、五徳１８，１９などを取り外した状態の外観を示すものである。
【００２０】
本構成では、ガスコンロ１が平坦な載置面に載置されたときの載置面と直交する方向が上下方向である。また、上下方向と直交する方向のうち側壁部４Ａ、４Ｂが向かい合う方向が左右方向であり、上下方向及び左右方向と直交する方向が前後方向である。ガスコンロ１では、図４のように平面視したときの長手方向が左右方向となっており、短手方向が前後方向となっている。また、ガスコンロ１では、図５のように正面視したときの長手方向が左右方向となっており、短手方向が上下方向となっている。
【００２１】
装置本体１Ａは、図２のような構成をなし、ガスコンロ１から天板部３０及び天板部３０に対する取付物（排気口カバー８０、五徳１８，１９など）を取り外した残りの部分を指す。装置本体１Ａは、外殻を構成する筐体部２、梁部材２０、右側バーナ１４、左側バーナ１５、ガス供給装置１６，１７、グリル庫１２、排気路１３などを備える。
【００２２】
筐体部２は、例えば金属材料によって構成され、上端部が開口する略直方体状に構成されている。筐体部２は、ガスコンロ１の外殻をなすとともにガスバーナ（右側バーナ１４、左側バーナ１５等）などを収容するケースとして機能する部分である。筐体部２は、主に、筐体本体部４、梁部材２０、前パネル５などを備えた構成をなし、上端側が開放した箱状形態をなす。
【００２３】
図２のように、筐体本体部４は、ガスコンロ１の左右両側に配置される一対の側壁部４Ａ，４Ｂと、後端側に配置される後壁部４Ｃと、下面側に配置される底壁部（図示略）とを備える。側壁部４Ａ，４Ｂ、後壁部４Ｃ、底壁部は互いに連結されており、筐体本体部４は、上端側及び前端側が開放した箱状形態をなす。筐体本体部４の一対の側壁部４Ａ，４Ｂの間には、ガスバーナ（右側バーナ１４、左側バーナ１５等）、グリル庫１２、排気路１３などの各種部品が収容される。
【００２４】
図３のように、梁部材２０は、筐体本体部４の内部に配置され、筐体本体部４内の前側の位置において左右方向に延びた形態で架設される架設部２２を備える。架設部２２の両端部は、筐体本体部４を構成する側壁部４Ａ，４Ｂのそれぞれにおける上側且つ前側の端部に連結されており、側壁部４Ａ，４Ｂを連結するフレームとして機能する。
【００２５】
図１、図２のように、前パネル５は、ガスコンロ１の前面部として機能する部分である。図２のように、前パネル５は、上述した筐体本体部４及び梁部材２０に対して前側から装着される。図２の例では、筐体本体部４の左右両側に前パネル５がそれぞれ装着され、２つの前パネル５の間には、グリル庫１２のグリル扉１２Ａが開閉可能に装着されている。
【００２６】
図１、図３のように、天板部３０は、ガスコンロ１の上面部として機能する部分である。図３のように、天板部３０は、板状に構成された天板本体３１と、天板本体３１の周縁部に取り付けられる外枠体５０と、天板本体３１と外枠体５０とによって構成される板状構造体３５に形成された開口部に取り付けられる内枠体４０と、を備え、全体として板状の形態をなす。天板部３０は、筐体部２の上端部に対して当該上端部の開口を閉塞する形態で固定される。
【００２７】
図２のように、グリル庫１２は、装置本体１Ａの左右方向中央部付近に設置されるとともに、前後左右上下が囲まれた箱状形態をなす。排気路１３は、装置本体１Ａの上部後端側においてグリル庫１２内の空間から連通する構成をなす。排気路１３は、グリル庫１２内の排気を行うための経路であり、グリル庫１２で生じた排気を天板部３０に形成された排気口４０Ａに誘導するように機能する。排気路１３の端部には開口部１３Ａが形成されている。開口部１３Ａは、排気路１３の上部後端側において上方側に開放した形態をなし、天板部３０の排気口４０Ａの下側に位置している（図１、図３参照）。図１のように、排気口カバー８０は、排気口４０Ａを覆う構成で配置されている。排気口カバー８０は、天板部３０上に載置される形で着脱可能に設置されている。排気口カバー８０は、複数の通気孔８０Ａを備え、通気孔８０Ａを介して排気口４０Ａ（図３）から排出される排気を外部（ガスコンロ１の上方側）に放出するとともに、グリル庫１２の内部からの炎のあふれを遮断するように機能する。
【００２８】
図１のように、グリル庫１２のグリル扉１２Ａは、上述した２つの前パネル５の間に設けられており、これら前パネル５とともに、装置本体１Ａの前面部を構成する。グリル扉１２Ａは、装置本体１Ａの前面部の幅方向略中央付近に設けられている。グリル扉１２Ａは、グリル庫１２の前方側に引き出し可能とされており、使用者はグリル扉１２Ａに設けられた取っ手を掴みつつグリル扉１２Ａを前方に引き出すことにより、グリル庫１２内に収納された受け皿及び焼き網等を一体的に外部に取り出すことができる。
【００２９】
図２のように、筐体部２内には、右側バーナ１４、左側バーナ１５、グリルバーナ１０が収容されている。図１、図３のように、天板本体３１の左右両側には、円形状の一対の開口部３２，３３が形成され、これら開口部３２，３３にそれぞれ挿入される形態で右側バーナ１４及び左側バーナ１５が天板部３０の上方側に向けて突出して配置されている。右側バーナ１４及び左側バーナ１５の各周囲には、五徳１８，１９が夫々設置されている。ガスコンロ１の使用時には、五徳１８，１９の各上部にフライパン、鍋等の調理容器（図示略）が載置される。
【００３０】
右側バーナ１４へのガス供給経路には、ガス供給装置１６が設けられている。ガス供給装置１６は、右側バーナ１４の点火消火を行うとともに、右側バーナ１４にガスを供給するための装置として機能する。ガス供給装置１６は、右側バーナ１４の点火又は消火を行うための操作部である点火スイッチ１６Ａと、装置本体１Ａの前方側に延出する操作レバー１６Ｂと備える。ガス供給装置１６は、操作レバー１６Ｂの左右方向の変位に応じて右側バーナ１４へのガス供給量を調整するように動作する。
【００３１】
左側バーナ１５へのガス供給経路には、ガス供給装置１７が設けられている。ガス供給装置１７は、左側バーナ１５の点火消火を行うとともに、左側バーナ１５にガスを供給するための装置として機能する。ガス供給装置１７は、左側バーナ１５の点火又は消火を行うための操作部である点火スイッチ１７Ａと、装置本体１Ａの前方側に延出する操作レバー１７Ｂと備える。ガス供給装置１７は、操作レバー１７Ｂの左右方向の変位に応じて左側バーナ１５へのガス供給量を調整するように動作する。
【００３２】
グリルバーナ１０は、グリル庫１２内で火炎を発生させ、グリル庫１２内を加熱するように機能する。グリルバーナ１０へのガス供給経路には、ガス供給装置１１が設けられている。ガス供給装置１１は、グリルバーナ１０の点火消火を行うとともに、グリルバーナ１０にガスを供給するための装置として機能する。ガス供給装置１１は、グリルバーナ１０の点火又は消火を行うための操作部である点火スイッチ１１Ａと、装置本体１Ａの前方側に延出する操作レバー１１Ｂと備える。ガス供給装置１１は、操作レバー１１Ｂの左右方向の変位に応じてグリルバーナ１０へのガス供給量を調整するように動作する。
【００３３】
次に、右側バーナ１４及び左側バーナ１５の詳細構造について、図５〜図８を参照して説明する。右側バーナ１４及び左側バーナ１５は、本発明の「コンロバーナ」の一例に相当する。右側バーナ１４は、図５のように、バーナ本体部９０、環状バーナ１００、バーナカバー１１０、コンロセンサ６０を備えている。右側バーナ１４は、環状バーナ１００からの火炎により五徳１８上に載置された調理容器Ｃを加熱する。左側バーナ１５は、コンロセンサ６０と同様の構成のバーナ本体部、環状バーナ、バーナカバー、コンロセンサを備えており、左側バーナ１５の説明は省略する。
【００３４】
バーナ本体部９０は、円環状に形成され、燃料ガスと一次空気が混合された混合ガスが混合管９２から供給される混合室９１が内部に形成される。バーナ本体部９０の混合室９１に供給された混合ガスは、バーナ本体部９０と後述する環状バーナ１００との間に形成された複数の炎口９３から噴出する。
【００３５】
環状バーナ１００は、円環状の部材であり、バーナ本体部９０の混合室を上方側から覆うようにバーナ本体部９０に載置される。環状バーナ１００は、図７のように、第１筒状部１０１、第２筒状部１０２、第３筒状部１０３を備えている。第１筒状部１０１は、上方側筒状部１０１Ａ，下方側筒状部１０１Ｂを備えている。上方側筒状部１０１Ａは、上方側に向かうにつれて径が大きくなっている。下方側筒状部１０１Ｂは、上方側に向かうにつれて径が大きくなっており、上方側筒状部１０１Ａよりも径の拡大の程度が小さくなっている。上方側筒状部１０１Ａと下方側筒状部１０１Ｂは、角を有さず滑らかに連なっている。上方側筒状部１０１Ａには、上方側に突出する複数の突起部１０１Ｃが形成されている。第２筒状部１０２は、環状バーナ１００の下方側の部分を構成し、上方側となるにつれて内径が小さくなっている。第３筒状部１０３は、第１筒状部１０１と第２筒状部１０２の間の部分を構成し、供給通路１２０において内径が最も小さくなる部分である。第３筒状部１０３は、上下方向に所定の長さ（図７、図８ではＹで示される長さ）延びる形状で、内径が一定になっている。
【００３６】
バーナカバー１１０は、円環状の部材であり、突起部１０１Ｃに支持されることで環状バーナ１００の上方側に取り付けられる。バーナカバー１１０の内側には、後述するコンロセンサ６０の上端部側が配置される。
【００３７】
図６のように、コンロセンサ６０は、燃料ガスと一次空気との混合ガスの燃焼に用いる二次空気を下方側から上方側に導く供給通路１２０の内側に下端部側が位置するように設けられている。コンロセンサ６０は、五徳上に載置された調理容器の底部に接触して調理容器の底部の温度を検出する。コンロセンサ６０は、支柱６１、センサヘッド６２、温度センサ６３、付勢部６４、センサカバー７０、を備えている。
【００３８】
支柱６１は、上下方向に延びる円筒状に形成され、下端側が供給通路１２０内に配置されて固定されている。支柱６１は、円筒部６１Ａ、突起部６１Ｂを備えている。円筒部６１Ａは、上端部が開放した円筒状に形成され、上端部側が開口部３２内に配置され、下端部側が装置本体１Ａに固定されている。突起部６１Ｂは、円筒部６１Ａの上端部から上方側及び径方向外側に突出している。
【００３９】
センサヘッド６２は、上端部側が閉塞した円筒状に形成され、支柱６１に対して相対的に変位し且つ上下方向に沿うように変位する構成をなす。センサヘッド６２は、上面部６２Ａ、筒状部６２Ｂを備えている。上面部６２Ａは、略円板状に形成され、外縁部６２Ｃが内側に向かって折れ曲がっている。上面部６２Ａは、右側バーナ１４の上方側に露出している。筒状部６２Ｂは、支柱６１の外径よりも大きな内径の円筒状であり、上端部６２Ｄが外側に向かって折れ曲がっている。筒状部６２Ｂ内と筒状部６２Ｂの下方側に跨る構成で支柱６１が挿入されている。上面部６２Ａの外縁部６２Ｃが、筒状部６２Ｂの上端部６２Ｄを包み込むようにしてかしめ止めされている。センサヘッド６２は、支柱６１の上端部側を覆い、内部に温度センサ６３、付勢部６４を収容する。筒状部６２Ｂの上下方向における中心付近には、下方側に向かって内側に傾斜する傾斜部６２Ｅが形成されている。傾斜部６２Ｅに支柱６１の突起部６１Ｂが接触することで、センサヘッド６２が支柱６１から抜け出ることを規制する。
【００４０】
温度センサ６３は、検出温度に応じて抵抗が変わるサーミスタによって構成されている。温度センサ６３は、センサヘッド６２の上面部６２Ａの下面部の中心に固定されている。温度センサ６３には配線（図示略）が接続されており、配線はセンサヘッド６２の内側、支柱６１の内側を通ってガスコンロ１のコントローラ（図示略）に接続されている。
【００４１】
付勢部６４は、コイルバネによって構成され、支柱６１の突起部６１Ｂとセンサヘッド６２の上面部６２Ａの間に圧縮された状態で、センサヘッド６２の筒状部６２Ｂの内側に収容されている。
【００４２】
センサカバー７０は、上端部が開放した円筒状に形成され、センサヘッド６２の筒状部６２Ｂを環状に囲む構成でセンサヘッド６２に固定される。センサカバー７０は、第１カバー部７１、第２カバー部７２を備えている。第１カバー部７１は、円筒部７１Ａ、上端部７１Ｂを備えている。円筒部７１Ａは、外周面の径が一定の筒状に形成されている。円筒部７１Ａの内径は、センサヘッド６２の筒状部６２Ｂの外径よりも大きくなっている。円筒部７１Ａは、センサヘッド６２の筒状部６２Ｂの上端側を環状に囲む構成で上下方向に沿って延びている。上端部７１Ｂは、円筒部７１Ａの上端部から上方側且つ内側に延出し、センサヘッド６２の外縁部６２Ｃに下方側から近接して配置されている。
【００４３】
第２カバー部７２は、筒状に形成され、第１カバー部７１の下端部に連なっている。第２カバー部７２は、筒状の円筒部７２Ａを備えている。円筒部７２Ａの外径は、第１カバー部７１の円筒部７１Ａの外径よりも小さくなっている。円筒部７２Ａは、第１カバー部７１の下方側でセンサヘッド６２の筒状部６２Ｂを環状に囲む構成で上下方向に沿って延びている。第２カバー部７２の下端部とセンサヘッド６２の下端部は、上下方向において同じ位置に位置している。センサカバー７０の下端部７０Ａ寄りの位置において第２カバー部７２の内部に筒状部６２Ｂが圧入され、センサカバー７０とセンサヘッド６２とが固定されている。円筒部７２Ａの下端部側に、センサヘッド６２の筒状部６２Ｂが圧入する被圧入部７２Ｂが形成されている。センサカバー７０とセンサヘッド６２との接続部分６２Ｆ（センサカバー７０に対するセンサヘッド６２の圧入部分）をセンサヘッド６２の上面部６２Ａから離れた下方側に位置させることができる。五徳１８上に調理容器Ｃを載置した際に、調理容器Ｃとセンサヘッド６２とが接触したとしても、調理容器Ｃからのセンサヘッド６２に伝わる衝撃が付勢部６４の圧縮変形によって吸収される。調理容器Ｃとセンサヘッド６２の接触時の衝撃が接続部分６２Ｆに伝わりにくくなり、強い衝撃が接続部分６２Ｆに繰り返し伝えられることに起因する接続不良を抑えることができる。
【００４４】
円筒部７１Ａの下端部と円筒部７２Ａの上端部とによって段差部７３が構成されている。段差部７３は、上下方向に直交する面内で円環状に形成されている。
【００４５】
次に、環状バーナ１００によって構成される供給通路１２０について説明する。図７は、五徳１８上に調理容器Ｃを載置する前のコンロセンサ６０及びコンロセンサ６０の周辺を拡大して示す拡大断面図である。図８は、五徳１８上に調理容器Ｃを載置した状態を概略的に示す断面概略図である。図７のように、コンロセンサ６０は、下端部側が供給通路１２０の内側に配置されるように取り付けられている。コンロセンサ６０は、上端部側がバーナカバー１１０に挿通されて、バーナカバー１１０の上方側に突出している。
【００４６】
図８のように、コンロセンサ６０は、五徳１８上に調理容器Ｃが載置されると、センサヘッド６２の上面部６２Ａが調理容器Ｃの底部に当接する。調理容器Ｃの重量によって付勢部６４が圧縮され、調理容器Ｃの底部が上面部６２Ａに当接したままセンサヘッド６２が支柱６１の外周面に沿って下方側へスライドする。
【００４７】
図８のように、供給通路１２０は、環状バーナ１００の内周部によって構成され、上下方向に延びる円筒状の形状をなし、コンロセンサ６０との間に、空気を誘導するための空間を構成する。具体的には、供給通路１２０の内周部とコンロセンサ６０の外周部とによって二次空気（燃料ガスと一次空気との混合ガスの燃焼に用いる空気）の流路が構成され、二次空気を下方側から上方側に導く。供給通路１２０は、内径拡大部１２１、内径縮小部１２２、最小内径部１２３を備えている。
【００４８】
内径拡大部１２１は、環状バーナ１００の第１筒状部１０１の内周部によって構成されている。内径拡大部１２１は、供給通路１２０の上端部側の部分を構成し、上方側となるにつれて内径が大きくなっている。内径縮小部１２２は、環状バーナ１００の第２筒状部１０２の内周部によって構成されている。内径縮小部１２２は、供給通路１２０における内径拡大部１２１よりも下方側の部分を構成し、上方側となるにつれて内径が小さくなっている。最小内径部１２３は、環状バーナ１００の第３筒状部１０３の内周部によって構成されている。最小内径部１２３は、供給通路１２０における内径拡大部１２１と内径縮小部１２２の間の部分を構成し、供給通路１２０において内径が最も小さくなる部分である。最小内径部１２３は、上下方向に所定の長さ（図７、図８ではＹで示される長さ）延びる形状で、内径が一定になっている。
【００４９】
図８のように、矢印Ｓ１で示す気流は、右側バーナ１４の下方側から供給される二次空気の流れを示している。供給通路１２０内において二次空気が下方側から上方側に導かれる。
【００５０】
図８のように、段差部７３は、五徳１８上に載置された調理容器Ｃによってセンサヘッド６２が押し下げられたときに、上下方向において、最小内径部１２３よりも下位置に配置されている。段差部７３は、内径縮小部１２２の内側に配置されている。段差部７３は、環状バーナ１００の第２筒状部１０２の内側における上下方向中央付近に配置されている。段差部７３は、供給通路１２０内において、供給通路１２０の上端部から離れた下方側に位置している。段差部７３が最小内径部１２３よりも下位置に配置されていれば、二次空気が最小内径部１２３付近を通過する際に段差部７３の影響を受けにくくなり、内径が最も狭くなる最小内径部１２３付近で段差部７３に起因する気流の乱れが生じることを抑制することができる。気流が乱されることで二次空気の供給量が不安定になることが抑制される。
【００５１】
図８のように、センサカバー７０の円筒部７１Ａは、最小内径部１２３と当該最小内径部１２３の上方側及び下方側とに跨っている。円筒部７１Ａは、最小内径部１２３の内側の部位であり、外周面の径が一定となっている。気流方向に沿って内周面が一定の流路が形成され、内径が最も狭くなる最小内径部１２３付近で気流の乱れをより一層抑えることができ、二次空気がより円滑に誘導されるようになる。
【００５２】
以下、本構成の効果を例示する。
本構成のコンロセンサ６０は、センサヘッド６２の筒状部６２Ｂを環状に囲む構成で筒状のセンサカバー７０がセンサヘッド６２に固定される。このようにセンサカバー７０が設けられるため、環状バーナ１００の火炎からセンサヘッド６２（特に、温度センサ６３付近）を保護することができる。更に、センサカバー７０の下端部７０Ａ寄りの位置で第２カバー部７２の内部に筒状部６２Ｂが圧入される形でセンサカバー７０とセンサヘッド６２とが固定されるため、センサカバー７０とセンサヘッド６２との接続部分６２Ｆ（センサカバー７０に対するセンサヘッド６２の圧入部分）をセンサヘッド６２の上面部６２Ａから離れた下方側に位置させることができる。従って、調理容器Ｃを載置するにあたり、調理容器Ｃとセンサヘッド６２とが接触したとしても、その接触時の衝撃が接続部分６２Ｆ（圧入部分）に伝わりにくくなり、強い衝撃が接続部分６２Ｆ（圧入部分）に繰り返されることに起因する接続不良を抑えることができる。
【００５３】
供給通路１２０は、供給通路１２０の上端部側の位置に上方側となるにつれて内径が大きくなる内径拡大部１２１が設けられ、内径拡大部１２１よりも下方側の位置に上方側となるにつれて内径が小さくなる内径縮小部１２２が設けられ、内径拡大部１２１と内径縮小部１２２の間の位置に内径が最も小さくなる最小内径部１２３が設けられている。第２カバー部７２は、第１カバー部７１の下端部に連結されるとともに外周面の径が第１カバー部７１の外周面の径よりも小さくなっている。五徳１８上に載置された調理容器Ｃによってセンサヘッド６２が押し下げられたときに、第１カバー部７１の下端部と第２カバー部７２の上端部とによって構成される段差部７３が、上下方向において、最小内径部１２３よりも下位置に配置されている。
【００５４】
このように、第１カバー部７１の下端部と第２カバー部７２の上端部とによって構成される段差部７３が最小内径部１２３よりも下位置に配置されていれば、二次空気が最小内径部１２３付近を通過する際に段差部７３の影響を受けにくくなり、内径が最も狭くなる最小内径部１２３付近で段差部７３に起因する気流の乱れが生じることを抑制することができる。
【００５５】
第１カバー部７１には、五徳１８上に載置された調理容器Ｃによってセンサヘッド６２が押し下げられたときに、最小内径部１２３と当該最小内径部１２３の上方側及び下方側とに跨るように外周面の径が一定の円筒部７１Ａが設けられている。このように、第１カバー部７１において、最小内径部１２３の内側の部位を外周面の径が一定の円筒部７１Ａとすれば、内径が最も狭くなる最小内径部１２３付近で気流の乱れをより一層抑えることができ、二次空気がより円滑に誘導されるようになる。
【００５６】
＜他の実施例＞
本発明は上記記述及び図面によって説明した実施例に限定されるものではなく、例えば次のような例も本発明の技術的範囲に含まれる。また、上述した実施例や後述する実施例の特徴は矛盾しない範囲でどのように組み合わせてもよい。
【００５７】
実施例１のコンロセンサ６０は、センサヘッド６２及びセンサカバー７０が円筒状に形成される例を示したが、角筒状など任意の形状であってもよい。
【００５８】
実施例１のコンロセンサ６０は、第１カバー部７１の円筒部７１Ａの外径よりも、第２カバー部７２の円筒部７２Ａの外径が小さい構成を例示したが、第１カバー部７１の円筒部７１Ａの外径よりも、第２カバー部７２の円筒部７２Ａの外径が大きい構成であってもよい。支柱６１が円筒状に形成される構成を例示したが、外径が異なる２つの円筒部分を備える構成など、その他の構成であってもよい。
【００５９】
実施例１のガスコンロ１は、テーブルガスコンロとして構成される例を示したが、ビルトインコンロ等であってもよい。
【符号の説明】
【００６０】
１…ガスコンロ
１４…右側バーナ（コンロバーナ）
１５…左側バーナ（コンロバーナ）
１８，１９…五徳
６０…コンロセンサ
６１…支柱
６２…センサヘッド
６２Ａ…上面部
６２Ｂ…筒状部
６３…温度センサ
６４…付勢部
７０…センサカバー
７１…第１カバー部
７１Ａ…円筒部
７１Ｂ…上端部
７２…第２カバー部
７３…段差部
１００…環状バーナ
１２０…供給通路
１２１…内径拡大部
１２２…内径縮小部
１２３…最小内径部
Ｃ…調理容器
【図１】
2018179456.tif 000003
【図２】
2018179456.tif 000004
【図３】
2018179456.tif 000005
【図４】
2018179456.tif 000006
【図５】
2018179456.tif 000007
【図６】
2018179456.tif 000008
【図７】
2018179456.tif 000009
【図８】
2018179456.tif 000010